(57)【要約】      （修正有）【課題】デザイン上優れ且つ保湿効果の高いドライアイ用眼鏡フレーム及びこれを備えたドライアイ用眼鏡を提供すること。【解決手段】ドライアイ用眼鏡１０は、眼鏡フレーム２０及び左右一対のレンズ３０，３０を備える。眼鏡フレーム２０は、レンズ３０，３０を左右に装着可能に構成されたフロント部４０と、装着者の耳にかけられる左右一対のテンプル部５０，５０と、を備える。眼鏡フレーム２０は、少なくともリム６０の下部１の内部が空洞で、そのリム６０の下部１の上面に複数の蒸散穴６が開いており、リム６０の側部にある注入口３から保湿用の液体を空洞に注入し、その液体の水分を蒸散穴６から蒸散させることによって眼の周囲を加湿するものである。【選択図】図１
2012073615.tif 000002
【特許請求の範囲】
【請求項１】
少なくともリムの下部の内部が空洞で、そのリムの下部の上面に複数の蒸散穴が開いており、リムの側部にある注入口から保湿用の液体を前記空洞に注入し、その液体の水分を前記蒸散穴から蒸散させることによって眼の周囲を加湿することを特徴とする、ドライアイ用眼鏡フレーム。
【請求項２】
請求項１に記載のドライアイ用眼鏡フレームを備えたドライアイ用眼鏡。
【発明の詳細な説明】
【技術分野】
【０００１】
本願発明は、ドライアイ症者が感じる眼の乾燥感を軽減させるために使用する眼鏡に関する。
【背景技術】
【０００２】
従来のドライアイ用眼鏡には、保湿具を眼鏡フレームに取り付ける形態のものや（特許文献１、２）、レンズを支持するフレームのリムの周囲に遮蔽体を取り付ける形態のもの（特許文献３、４）がある。
【先行技術文献】
【特許文献】
【０００３】
【特許文献１】特開２０００―５２１７号公報
【特許文献２】特開２０００−５２１６号公報
【特許文献３】特実平３−２０３１６号公報
【特許文献４】実用新案登録第３１５２４１２号
【発明の概要】
【発明が解決しようとする課題】
【０００４】
しかしそれらの使用の際には、眼鏡フレームの形状によっては保湿具の取り付け方が難しい場合があったり、保湿具を装着することによりデザイン性が大きく損なわれたりすることが多かった。
また、保湿具をテンプルの内側に接着させる形態のドライアイ用眼鏡では、水分が隙間から上方へ放散してしまうため、眼の周囲で得られる保湿の効果が低かった。
【０００５】
そこで、本願発明は、デザイン上優れ且つ保湿効果の高いドライアイ用眼鏡フレーム及びこれを備えたドライアイ用眼鏡の提供を目的とする。
【課題を解決するための手段】
【０００６】
本願発明のドライアイ用メガネフレームは、少なくともリムの下部の内部が空洞で、そのリムの下部の上面に複数の蒸散穴が開いており、リムの側部にある注入口から保湿用の液体を前記空洞に注入し、その液体の水分を前記蒸散穴から蒸散させることによって眼の周囲を加湿するものである。
【発明の効果】
【０００７】
眼鏡フレームの内部に保湿機能が組み込まれることにより、眼鏡のデザイン性をできるだけ損なうことなく、ドライアイの乾燥感を軽減することができる。また、水分は下から上へ蒸発することから、テンプルに保湿具を備える形態のものよりも、効果的に眼周辺部を保湿することができる。
【図面の簡単な説明】
【０００８】
【図１】本願発明の実施の形態に係るドライアイ用眼鏡の斜視図である。
【図２】図１におけるリムの下部を拡大および別の角度より表した断面図である。
【図３】図１におけるリムの内部構造の一例を拡大して表した図である。
【発明を実施するための形態】
【０００９】
以下に図面に基づいた本願発明の実施の形態に係るドライアイ用眼鏡を説明する。なお、眼鏡の構成は左右対称であるため、以下では、左側の部品を中心に説明し、右側の部品については説明を適宜省略する。
【００１０】
図１に示すように、ドライアイ用眼鏡１０は、眼鏡フレーム２０及び左右一対のレンズ３０，３０を備える。眼鏡フレーム２０は、レンズ３０，３０を左右に装着可能に構成されたフロント部４０と、装着者の耳にかけられる左右一対のテンプル部５０，５０と、を備える。フロント部４０は、レンズ３０，３０の全周又はその少なくとも下半部をそれぞれ固定するリム６０，６０と、リム６０，６０の内側部位同士を連結するブリッジ７０と、を備える。
【００１１】
図２及び図３に示すように、リム６０の下部１は内部が空洞になっており、その空洞は、保湿のための液体を注入する注入口３から空気排出口４まで繋がっている。すなわち、下部１の内部には、注入口３から空気排出口４に至る液体通路５（空洞）が形成されている。注入口３及び空気排出口４は、それぞれ、リム６０の下部１の両サイドにつながる両側部に形成されている。より詳細には、注入口３は、リム６０におけるテンプル部５０側の側部の外側面にあり、空気排出口４は、リム６０におけるブリッジ７０側の側部の正面にある。したがって、液体通路５は、リム６０の略半円弧状の下半部に亘って形成されており、一端が注入口３に連通し且つ他端が空気排出口４に連通している。
【００１２】
なお、この空洞（液体通路５）はリム６０の全体に亘っていてもよいが、上述のようにリム６０の下部１にのみ形成することが製造上好ましい。また、注入口３は、リム６０におけるテンプル部５０側の側部の正面に形成してもよいが、上述のように側面に形成した方がデザイン性を向上し易い。同様に、空気排出口４についても、リム６０におけるブリッジ７０側の側部の内側面に形成してもよい。また、場合に応じて、空気排出口４を注入口として、注入口３を空気排出口として使用してもよい。さらに、注入口３及び空気排出口４は、そこからの蒸気の拡散および液漏れを防ぐため、ゴムパッキンのようなもので栓ができることが望ましい。
レンズ上部のフレームがない、いわゆる「逆ナイロームフレーム」あるいは「アンダーリム」タイプの眼鏡フレームにおいては、リムの内部全体に、注入口から空気排出口まで繋がる空洞（液体通路５）を設計する。
【００１３】
液体通路５については、プラスチック、金属及び自然素材等からなるリム６０に直接形成されたものでもよいし、あるいは、内部に入れる液体の性質に応じて、リム６０内に形成された空洞にビニールパイプのようなものを通すことによって形成されたものであってもよい。
【００１４】
リム６０の下部１の上面２（内面）には、液体通路５に連通して水分を蒸散させるための複数の小さい蒸散穴６が穿設されている。蒸散穴６は、リム６０の下部１に形成されたレンズ装着溝（図示省略）よりも、眼鏡装着者側（すなわちリム６０の背面側）に形成されている。これにより、レンズ装着溝を介してフロント部４０にレンズ３０を装着した場合に、レンズ３０よりも眼鏡装着者側にて蒸散穴６からの水分の蒸散がなされるため、効果的に眼周囲を保湿することが可能となる。また、蒸散穴６は、より一層効果的に眼周囲を保湿するため、また液漏れを防ぐため、眼鏡装着時の顔面に対してやや内側向きの適切な角度で開けることが望ましい。
【００１５】
さらに、蒸散穴６は、液体通路５に入れる液体の性質に応じて、穴の大きさを適宜設計すればよく、特に目詰まりを防ぎ、液体の表面張力等により蒸散が阻害されない程度の穴の大きさとなるように設計することが望ましい。また、蒸散穴６には、気体（蒸気）のみを透過させるために、気体透過性の膜（例えば薄い高分子膜）が貼り付けられることが好ましい。このような気体透過性の膜を設けることで、蒸散穴６から液体通路５内の液体が漏れないようにすることができる。
【００１６】
ここで、リム６０の内部に注入する保湿のための液体は、蒸散穴６が詰まるのを防ぐため、粘度の低いものが望ましい。また、程良い揮発性があり、かつ眼に優しいものが望ましい。さらに、眼鏡フレーム２０を洗浄するときの利便性を考慮し、オイル等を含まないものが望ましい。例えばオイルを含まない化粧水のようなものが想定される。ただし、最も簡易的な保湿用の液体として、水を用いることができる。
【００１７】
次に、保湿のための液体を液体通路５に注入する方法について説明する。この方法は、リム６０内部の液体通路５の直径やカーブ、眼鏡フレーム２０のデザイン等に応じていくつか考えられる。
【００１８】
第１に考えられるのは、空気排出口４を開いた状態で、注入口３からスポイトまたは注射器のような注入器を用いて、リム６０の下方向に向け液体を圧送する方法である。この場合、注入口３と空気排出口４の位置が逆であってもよい。
【００１９】
第２に考えられるのは、リム６０の下部１のカーブがきつい等の理由で、下部１に液体を圧送するのが困難な場合である。この場合には、リム６０全体の内部が空洞（液体通路５）となっていることが前提ではあるが、空気排出口４を閉じたまま、スポイトあるいは注射器のような注入器を用いて、リム６０の上方向に液体を圧送する。この場合においても、注入器と空気排出口の位置が逆であってもよい。
【００２０】
第３に考えられるのは、リム６０内部の液体通路５の直径等により、注入口３から圧力を加えて液体を送り入れることが困難な場合である。この場合には、注入口３あるいは空気排出口４のどちらか一方に液体を触れさせた状態で、もう一方からスポイトあるいは注射器のような器具を用いて空洞内の空気を抜き、液体を吸い上げる。
【００２１】
前述のいずれかの方法あるいは他に考えられる適切な方法によって、リム６０内部の空洞である液体通路５に保湿のための液体を十分に行き渡らせ、リム６０の下部１の内側上面の蒸散穴６より水分を蒸散させる。
【００２２】
以上説明したドライアイ用眼鏡１０及び眼鏡フレーム２０によれば、眼鏡フレーム２０の内部に保湿機能が組み込まれているため、眼鏡１０のデザイン性をできるだけ損なうことなく、ドライアイの乾燥感を軽減することができる。また、水分は下から上へ蒸発することから、テンプル部５０に保湿具を備える形態のものよりも、効果的に眼周辺部を保湿することができる。
【符号の説明】
【００２３】
１  リムの下部
２  リムの上面
３  注入口
４  空気排出口
５  液体通路
６  蒸散穴
１０  ドライアイ用眼鏡
２０  眼鏡フレーム
３０  レンズ
４０  フロント部
５０  テンプル部
６０  リム
【図１】
2012073615.tif 000003
【図２】
2012073615.tif 000004
【図３】
2012073615.tif 000005